(57)【要約】      （修正有）【課題】人体用電極の抗菌保温装置に関し、特に被検体への装着時の不快感を解消し且つ、衛生的に使用することのできる人体用電極の抗菌保温装置の提供。【解決手段】複数の人体電極を配列載置することのでき、抗菌処理された容器本体と、該容器本体にヒンジを介して開閉自在に保持され、抗菌処理された蓋体とによって構成され、該蓋体の前面部には複数の人体電極に結線されたリード線が、それぞれ挿通される開口部が形成されていることを特徴とし、容器本体の底面部には面発熱体が設置され、該面発熱体の温度を制御する温度制御部が容器本体の側面部に配置され、容器本体に蓋体が閉じられた状態において、容器内温度が体温に近い温度雰囲気に保持されるように構成されたことを特徴とする。【選択図】図２
0003128540.tif 000002
【実用新案登録請求の範囲】
【請求項１】
複数の人体電極を配列載置することのでき、抗菌処理された容器本体と、該容器本体にヒンジを介して開閉自在に保持され、抗菌処理された蓋体とによって構成され、該蓋体の前面部には複数の人体電極に結線されたリード線が、それぞれ挿通される開口部が形成されていることを特徴とする人体用電極の抗菌保温装置。
【請求項２】
容器本体の底面部には面発熱体が設置され、該面発熱体の温度を制御する温度制御部が容器本体の側面部に配置され、容器本体に蓋体が閉じられた状態において、容器内温度が体温に近い温度雰囲気に保持されるように構成された請求項１に記載の人体用電極の抗菌保温装置。
【請求項３】
使用直前に蓋体が開放されると同時に、容器本体内に載置された複数の人体電極及び塗布用ゲルチューブを取り出し、測定に必要な患者の設置個所に、保温された温度でゲルを塗布し、人体電極を設置するように構成された請求項１に記載の人体用電極の抗菌保温装置。
【考案の詳細な説明】
【技術分野】
【０００１】  本考案は、人体用電極の抗菌保温装置に関し、特に被検体への装着時の不快感を解消し且つ、衛生的に使用することのできる人体用電極の抗菌保温装置に関するものである。
【背景技術】
【０００２】  一般に、心電図検査は、人間ドッグの検診、成人病検診、一般病棟、集中治療室等に於いて幅広く普及している。【０００３】  例えば特開平４−３０３４１５号公報「生体用電極」、特開昭５９−３２４３８号公報「心電図測定用電極装置」、特開平８−１３１５５７号公報「生体電極用パッド」等があるがいずれも電極の保管温度は管理されていない。
【特許文献１】  特開平４−３０３４１５号公報
【特許文献２】  特開昭５９−３２４３８号公報
【特許文献３】  特開平８−１３１５５７号公報
【考案の開示】
【考案が解決しようとする課題】
【０００４】  前記せるような心電図測定用の人体電極は何回も再使用されるタイプのものがあるが、装着時に於いて、清潔であり、また、患者に不快感を与えないものが要求されている。
何回も再使用されるタイプの人体電極は人体と接触する部分が、患者の体温よりかなり低い温度で保管されているので、装着時に於ける患者の不快感は測定結果にも影響する。
【課題を解決するための手段】
【０００５】  複数の人体電極を配列載置することのでき、抗菌処理された容器本体と、該容器本体にヒンジを介して開閉自在に保持され、抗菌処理された蓋体とによって構成され、該蓋体の前面部には複数の人体電極に結線されたリード線が、それぞれ挿通される開口部が形成されていることを特徴とし、容器本体の底面部には面発熱体が設置され、該面発熱体の温度を制御する温度制御部が容器本体の側面部に配置され、容器本体に蓋体が閉じられた状態において、容器内温度が体温に近い温度雰囲気に保持されるように構成されたことを特徴とし、且つ、使用直前に蓋体が開放されると同時に、容器本体内に載置された複数の人体電極を取り出し、測定に必要な患者の設置個所に、保温された温度で設置するように構成された人体用電極の抗菌保温装置を提供する。
【考案の効果】
【０００６】  以上説明したように本考案に係る人体用電極の抗菌保温装置によれば、人体用電極が、抗菌処理され、温度制御された容器本体内に載置保管され、使用直前に容器本体より取り出されて患者の測定個所に取り付けられるので、患者に対して不快なショックを与えることがない。
【考案を実施するための最良の形態】
【０００７】  以下、図面に基づき考案を実施するための最良の形態について具体的に説明する。
図面において、図１は本考案に係る人体用電極の抗菌保温装置の全体斜視図である。図２は本考案に係る人体用電極の抗菌保温装置の蓋体を開放した状態の斜視図である。図３は本考案に係る人体用電極の抗菌保温装置に人体用電及び塗布用ゲルチューブを載置保管した状態の平面図である。
図４は人体用電極の一例を示す斜視図である。【０００８】    図１乃至図２に示すように、本考案の人体用電極の抗菌保温装置１は、抗菌処理された容器本体１０と該容器本体１０にヒンジ１５を介して開閉自在に保持され、抗菌処理された蓋体１１とによって構成されている。【０００９】  蓋体１１の前面部には複数の人体電極に結線されたリード線５が、それぞれ挿通される開口部１２が形成されており、図３に示すように複数の人体電極３を配列載置することができる。【００１０】  図３に示すように、複数の人体電極３を配列載置するとき、複数の人体電極３に結線されたリード線５は、蓋体１１の前面に形成された開口部１２より、それぞれ挿通孔されて心電図測定機（図示せず）に連結されている。【００１１】  容器本体１０の底面部には面発熱体２が設置され、該面発熱体２の温度を制御する温度制御部１３と電電コード１４が容器本体１０の側面に設けられている。【００１２】  容器本体１０に蓋体１１が閉じられた状態において、容器内温度が体温に近い温度雰囲気に保持されるように温度制御部１３によって温度が制御される。【００１３】  使用直前に蓋体１１が開放されると同時に、容器本体１０内に載置された複数の人体電極３及び塗布用ゲルチューブ７を取り出し、測定に必要な患者の設置個所に、保温された温度でゲルを塗布し、人体電極３が取り付けられる。【００１４】  図４に人体用電極３の一例を斜視図でしめしてあるが、吸盤体３２の吸引パイプ３３に吸引用ゴム空洞体３１の基部が嵌着されており、リード線コネクタ３４にリード線５が取り付けられている。【００１５】  吸盤体３２を人体６に当てがって、親指６で吸引用ゴム空洞体３１の上部を矢印ａ方向に押圧した後、親指４の押圧を離すと、吸盤体３２と人体６との間の空気は、矢印ｂ方向へ吸引パイプ３３を介して吸引孔され、人体電極３はしっかりと人体６に固定される。
【図面の簡単な説明】
【００１６】
【図１】  本考案に係る人体用電極の抗菌保温装置の全体斜視図である。
【図２】  本考案に係る人体用電極の抗菌保温装置の蓋体を開放した状態の斜視図である。
【図３】  本考案に係る人体用電極の抗菌保温装置に人体電極及び塗布用ゲルチューブを載置保管した状態の平面図である。
【図４】  人体用電極の一例を示す斜視図である。
【符号の説明】
【００１７】１．人体用電極の抗菌保温装置
１０．容器本体
１１．蓋体
１２．開口部
１３．温度制御部
１４．電源コード
１５．ヒンジ
２．面発熱体
３．人体用電極
３１．吸引用ゴム空洞体
３２．吸盤体
３３．吸引パイプ
３４．リード線コネクタ
４．親指
５．リード線
６．人体
７．塗布用ゲルチューブ
【図１】
0003128540.tif 000003
【図２】
0003128540.tif 000004
【図３】
0003128540.tif 000005
【図４】
0003128540.tif 000006